(57)【要約】      （修正有）【課題】車椅子に座ったまま浴槽に出入りでき、さらに身体を自動的に洗浄できる介護用ライドスルー自動入浴装置を提供する。【解決手段】給湯器２１から給湯される貯湯・循環洗浄水槽２と、車椅子で入出ができる入浴・身体洗浄水槽３とが、洗浄湯移送ポンプ４を介して連結し、洗浄湯移送ポンプ４により、使用するお湯を貯湯・循環洗浄水槽２から入浴・身体洗浄水槽３に、更に入浴・身体洗浄水槽３から貯湯・循環洗浄水槽２に、循環させる要介護者用の入浴装置について、貯湯・循環洗浄水槽２には、ストレーナー９とオゾン発生装置６が設けられ、入浴・身体洗浄水槽３には、上下駆動式乾燥水切りノズル７が設けられ、更にナノバブル発生装置５が貯湯・循環洗浄水槽２と入浴・身体洗浄水槽３に連結したライドスルー自動入浴装置１である。【選択図】図１
0003191656.tif 000002
【実用新案登録請求の範囲】
【請求項１】
給湯器から給湯される貯湯・循環洗浄水槽と、車椅子で出入りができる入浴・身体洗浄水槽とが、洗浄湯移送ポンプを介して連結し、洗浄湯移送ポンプにより、使用するお湯を貯湯・循環洗浄水槽から入浴・身体洗浄水槽に、更に入浴・身体洗浄水槽から貯湯・循環洗浄水槽に、循環させる要介護者用の入浴装置について、貯湯・循環洗浄水槽には、循環洗浄ポンプを介し、ストレーナーとオゾン発生装置が設けられ、入浴・身体洗浄水槽には、上下駆動式乾燥水切りノズルが設けられ、更にナノバブル発生装置が貯湯・循環洗浄水槽と入浴・身体洗浄水槽に連結したライドスルー自動入浴装置。
【請求項２】
貯湯・循環洗浄水槽と入浴・身体洗浄水槽を連結する洗浄湯移送ポンプの配管において、貯湯・循環洗浄水槽から入浴・身体洗浄水槽に湯が流れる配管には、オゾンを吸収する活性炭フィルターを有する排オゾン回収装置を備えた請求項１のライドスルー自動入浴装置。
【請求項３】
貯湯・循環洗浄水槽及び入浴・身体洗浄水槽の湯温を検知し、給湯器からの湯温及び貯湯・循環洗浄水槽への流量を制御する請求項１又は請求項２のいずれかのライドスルー自動入浴装置。
【請求項４】
上下駆動式乾燥水切りノズルは、入浴・身体洗浄水槽の外側に立てられた上下駆動用柱に沿って入浴・身体洗浄水槽に下降し、入浴・身体洗浄水槽内で上下運動しつつ温風を要介護者に向かい噴出し、終了後は入浴・身体洗浄水槽より上昇し上下駆動用柱の上方に停止する請求項１から請求項３のいずれかのライドスルー自動入浴装置
【請求項５】
要介護者が入浴・身体洗浄水槽に入り、開閉面が閉じられた後、湯が貯湯・循環洗浄水槽から入浴・身体洗浄水槽に入り、要介護者を洗浄し、使用湯が貯湯・循環洗浄水槽に戻り、更にシャワー洗浄した後、上下駆動式乾燥水切りノズルにより乾燥するまでの作業を自動的に行なう請求項１から請求項４のいずれかのライドスルー自動入浴装置。
【考案の詳細な説明】
【技術分野】
【０００１】
本考案は、車椅子に座ったまま浴槽に出入りでき、さらに身体を自動的に洗浄できる介護用入浴装置に関する。
【背景技術】
【０００２】
本考案者は、環境及び医療関係の薬品、備品等の営業販売を業としている。顧客先である介護施設に訪問した際、こうした介護施設では、介護の実務担当者(以下、実務者とする。)にとっては、危険が伴う厳しい職場であることを聞き、実務者が日々行なう業務の中から、厳しい業務を指摘してもらった。その厳しい業務の１つとして介護施設の利用者（以下、要介護者とする。）の入浴介助の業務があった。要介護者の入浴介助は実務者にとっては、時間と労力がかかり、時には実務者に腰痛を起こさせる原因ともなっていた。特に、要介護者の身体を洗う作業(以下、身体を洗うことを洗浄と表現することもある。)では、要介護者を抱えたり、洗うための姿勢を維持するため実務者１人では足りず、２人を要することもある。本考案者は、係る要介護者の入浴介助の業務を軽減することにより、実務者は他の業務に費やす時間が捻出でき、要介護者のためにもなると考えられた。そこで、要介護者が車椅子のまま入浴でき、実務者の介助を多く必要としない方法で洗浄することができる装置がないかと思案していた。
【０００３】
要介護者入浴時に実務者の介助を軽減するための設備としては、以下のような先行技術が見受けられる。浴槽を用いず、上下から同時に、加圧温水及び、洗浄ボールがノズルより噴射され、皮膚の表面を摺る事で洗浄出来、入浴時間が短縮され、タンクに蓄えたお湯を循環して使用する事で、水の使用量や燃料の削減が可能で、介護者を必要とする人の入浴も出来る装置(特許文献１)、設置スペースが小さく、しかも介助者の負担も少ない介護用の風呂として、 被介護者の入浴補助装置を備えたバスタブを、バスタブ支持台に、入浴位置から起立状態に揺動可能に収納保持し、バスタブをバスタブ支持台から傾斜状態に引き出し、傾斜状態のバスタブに温水を満たし、バスタブ内への温水の供給、排水あるいは旋回流による体の洗浄や乾燥等を自動制御する介護用の風呂(特許文献２)、容易に入浴することができ、トレーナーや指導者の負担が極めて少ないなど、身体を洗浄する作業を自動的に行う入浴装置として、気泡を発生する噴出ノズル部を、制御部を介して駆動・制御して、噴出ノズルの噴出方向を自在とし、また、入浴台を、制御部を介して駆動・制御して、入浴台の可動を可能とする入浴装置(特許文献３)、 自動車椅子バスを患者のそばに移動して、ビニールカバーのファスナー又は、ホックをはずし開き、上部回転ブラシ部Ｅから螺旋バネとスポンジ付きブラシを垂直に引き抜き、さらに上部ホースのシャワー部を引き抜いて外し、ビニール製の空気枕を上下調整して、患者を車椅子に乗せる要領で自動車椅子バスに乗せて、上部回転ブラシとシャワーを取り付け、安全のためシートベルトで固定して、介護人の省力化になり、患者のプライバシー保護になる入浴洗浄する装置(特許文献４)等がある。
【０００４】
また、介護施設においては、複数の要介護者が使用するため、使用した入浴湯をろ過、殺菌等しての再利用することが望まれる。かかる入浴湯の浄化、再利用の先行技術文献としては、以下のようなものが見受けられる。水および電力を妄りに消費することなく、入浴に必要な浴湯の殺菌浄化方法として、家庭用の浴湯には、１日を単位として１日の内１〜３時間だけまた業務用の浴湯には常時、浴湯のＯＲＰ値が３００〜２０００ｍＶの範囲に保たれるように電気分解して得られる陽極水を混入する方法(特許文献５)、浴槽の浴水を循環経路を介して循環させる循環ポンプと、循環経路に設けられ、浴水を浄化する浄化槽と、循環経路の吐出口において浴水と混合されるオゾンを発生するオゾン発生器とを備えた浴水循環装置本体に、浴槽から放出される未反応オゾンを吸気するファンと、未反応オゾンを吸着する活性炭フィルターを有する排オゾン回収装置を備えた、入浴者がオゾンの害を恐れることなく安心して入浴のできる浴水循環装置(特許文献６)、井戸水、雨水等の非上水処理水及び生活排水をオゾン水により殺菌、漂白等を行い、生活用水として再利用できるようにする方法(特許文献７)等がある。
【０００５】
更に、要介護者が自ら身体を洗浄することなく、又実務者の介助を必要とすることなく洗浄すること(以下、これを自動洗浄とする。)ができる先行技術として、上記以外の特許文献の他、液体と気体とを混合およびせん断してマイクロバブル含有水を作製する第１気体せん断部と、マイクロバブル含有水を更にせん断してナノバブル含有水を作製する第２気体せん断部と、ナノバブル含有水が吐出される槽と、を有し、前記槽には、交流磁気を発生させるための少なくとも１つの電磁石が設けられている入浴装置および入浴方法(特許文献８)があり、また、ナノバブルには浮力の減少、表面積の増加、表面活性の増大、局所高圧場の生成、静電分極の実現による界面活性作用と殺菌作用等の特性が存在することが明らかになり、それらが相互に関連することによって、汚れ成分の吸着機能、物体表面の高速洗浄機能、殺菌機能によって各種物体を高機能、低環境負荷で洗浄することができ、汚濁水の浄化を行うことができるとするナノバブルを有効に利用する分野を提示する特許文献９もある。
【０００６】
上記各先行技術は、それぞれ優れた特徴を有する発明等であるが、要介護者が車椅子に座ったまま浴槽に入出でき、浴槽内で自動洗浄でき、さらに使用した入浴湯(以下、使用湯とする。)を、殺菌等して再利用する一連の装置は調査した範囲では見つけることができなかった。そこで、本考案者は、実務者の労力と時間を軽減するため、要介護者が車椅子に座ったまま浴槽に入出でき、自動的に身体の洗浄から乾燥まで行い、更には、使用した入浴湯を殺菌等して再利用する一連の装置を考案するに至った。
【先行技術文献】
【特許文献】
【０００７】
【特許文献１】特開2010-284492号公報
【特許文献２】特開2003-24410 号公報
【特許文献３】特開2001-309958号公報
【特許文献４】特開2000-342648号公報
【特許文献５】特開2003-71465号公報
【特許文献６】特開平10-263554号公報
【特許文献７】特開平11-57732号公報
【特許文献８】特開2009-61194号公報
【特許文献９】特開2004−121962号公報
【考案の概要】
【考案が解決しようとする課題】
【０００８】
本考案の解決しようとする課題は、介護施設等において、実務者の介助を軽減すべく、要介護者が入浴する場合に、要介護者が車椅子に座ったままで、浴槽に入出でき、要介護者が自ら身体を洗浄することなく、又実務者の介助を必要とすることなく要介護者の身体を洗浄・乾燥でき、更には、使用湯を殺菌等して再利用することを目的とするものである。
【課題を解決するための手段】
【０００９】
すなわち、第１考案は、給湯器から給湯される貯湯・循環洗浄水槽と、車椅子で出入りができる入浴・身体洗浄水槽とが、洗浄湯移送ポンプを介して連結し、洗浄湯移送ポンプにより、使用するお湯(以下、浴槽にて使用する前後を問わず湯と略す場合もある。)を貯湯・循環洗浄水槽から入浴・身体洗浄水槽に、更に入浴・身体洗浄水槽から貯湯・循環洗浄水槽に、循環させる要介護者用の入浴装置について、貯湯・循環洗浄水槽には、循環洗浄ポンプを介し、ストレーナーとオゾン発生装置が設けられ、入浴・身体洗浄水槽には、上下駆動式乾燥水切りノズルが設けられ、更にナノバブル発生装置が貯湯・循環洗浄水槽と入浴・身体洗浄水槽に連結したライドスルー自動入浴装置である。
【００１０】
給湯器とは、湯を供給する機器であり、湯沸かし器などのことである。電気、ガス、石油、太陽熱など燃料様々な種類がある。貯湯・循環洗浄水槽とは、給湯器からのお湯を貯めて、入浴・身体洗浄水槽に洗浄湯移送ポンプを介して要介護者の洗浄湯としてこのお湯を送り、更に要介護者が使用した湯(以下、使用湯とする。)を入浴・身体洗浄水槽から戻し、使用湯を浄化する水槽をいう。
【００１１】
湯は、貯湯・循環洗浄水槽から入浴・身体洗浄水槽に、更に入浴・身体洗浄水槽から貯湯・循環洗浄水槽に、洗浄湯移送ポンプにより配管を通して送られる。洗浄湯移送ポンプを２つ用意し、貯湯・循環洗浄水槽から入浴・身体洗浄水槽に送る配管と身体洗浄水槽から貯湯・循環洗浄水槽に送る配管を設ける方法や、１つの洗浄湯移送ポンプでバイパス等を設け１本の配管で送る方法があるが、任意である。
【００１２】
入浴・身体洗浄水槽は、要介護者が車椅子に座ったまま入出できる構造となっている。上面がない略立方体の入浴・身体洗浄水槽において、4面の側面の内1つの面を開閉自在(以下、開閉面とする。)とし、これを開いて要介護者は車椅子ごと入浴・身体洗浄水槽に入り、開閉面を閉じて、貯湯・循環洗浄水槽から洗浄湯移送ポンプを介して湯が送られる。
【００１３】
貯湯・循環洗浄水槽には、入浴・身体洗浄水槽に湯を送る洗浄湯移送ポンプだけでなく、循環洗浄ポンプを介したストレーナーとオゾン発生装置が設けられ、更に後述するナノバブル発生装置が連結されている。ストレーナーとは、水中の塵埃、不純物等を取り去るために配管中に設けられた濾過器具であり、ストレーナーのろ過に使用するフィルターは使用状態により適宜洗浄され、また交換される。
【００１４】
オゾンは、空気中の酸素を原料とし、無声放電によりオゾン発生装置により発生させる。オゾンの殺菌作用はオゾン(Ｏ3)が分解されて生じる原子状の酸素(O)の酸化作用によって直接的に微生物を殺滅することである。オゾンの殺菌効果は、上水道の浄化に用いられる塩素よりも強力であり、クリプトスポリジウムをも十分に殺菌することが可能である。そのため、使用湯は、ストレーナーでろ過し、更にオゾンで殺菌し、再利用することができる。オゾン発生装置あるいはオゾン水生成装置が循環洗浄ポンプ又は直接貯湯・循環洗浄水槽に設けられ使用湯を殺菌する。なお、オゾンの空気中での環境基準はあるが、未反応のオゾンは、貯湯・循環洗浄水槽から屋外に排出させ、入浴・身体洗浄水槽にいる要介護者には影響が及ばない。
【００１５】
入浴・身体洗浄水槽には、洗浄湯移送ポンプ以外に、ナノバブル発生装置と上下駆動式乾燥水切りノズルが設けられている。ナノバブルあるいはマイクロバブル発生装置により発生する微細な気泡（バブル）は、その直径に応じて、マイクロバブル、マイクロナノバブルおよびナノバブルに分類でき、具体的には、マイクロバブルは、その発生時において１０μｍ〜数十μｍ、マイクロナノバブルは、その発生時において数百ｎｍ〜１０μｍ、ナノバブルは、その発生時において数百ｎｍ以下の直径を有する気泡である。マイクロバブルやナノバブルは、気泡が極小のため通常の気泡とは、異なった性質が現れる。通常の気泡は、急速に水中を上昇し最終的に液面で破裂するが、ナノバブルは気泡体積が微細であるため、上昇速度が遅く、長期間水中に滞在できる。また、界面張力は、気泡の大きさに反比例して気泡に加わる圧力が高まるため、微細気泡は圧力により一層小さくなり、加圧効果により効果的に酸素やオゾン等の気体が水中に溶解する。更に、コロイドとしての側面があり、負に帯電をしているため、ナノバブル同士は反発し合い、気泡濃度が減ることが少ない等の特徴がある。
【００１６】
特許文献９に記載されているように、５０ｎｍ〜１００ｎｍ程度のナノバブルは水中で表面張力により数十気圧程度になっており、この気泡が崩壊するときには数十気圧程度の空気をジェットとして生じることができ、それにより物体表面の洗浄効果が期待できること、また、水の水素結合が相互作用をし、ナノメーターオーダーの気泡により、石鹸と同様な電荷分離を気液界面に実現することができ、それらによる洗浄促進効果、静電気的な殺菌効果があり、更に生体の疲労回復の効果も期待できるものである。こうした効果により、入浴・身体洗浄水槽にナノバブル発生装置を設けるものである。尚、ナノバブルは水には溶解せず、水中に分散し長期間滞在できるため、ナノバブルが水中に溶解すると表現する場合もある。
【００１７】
この、ナノバブル発生装置は貯湯・循環洗浄水槽にも連結されている。貯湯・循環洗浄水槽にて殺菌のために使用するオゾンは、液温が高くなると溶解度が減少し殺菌力が低下する。しかし、ナノバブルが分散した水では、オゾンの溶解度は高くなることは実験的にも確認され、ナノバブルの殺菌効果と相まって、特段の殺菌効果を有することになるため、ナノバブル発生装置を貯湯・循環洗浄水槽にも連結するものである。
【００１８】
更に、入浴・身体洗浄水槽には、上下駆動式乾燥水切りノズルが設けられている。要介護者の身体の洗浄が終了し、使用湯が貯湯・循環洗浄水槽に戻されると、入浴・身体洗浄水槽内を上下運動する乾燥水切りノズルから温風が要介護者に向けて吹き付けられて皮膚が乾燥される。その後、開閉面が開き、要介護者は入浴・身体洗浄水槽から車椅子に座ったままで出ることになる。なお、本装置は、要介護者が車椅子に座ったまま浴槽に入り、自動的に身体の洗浄・乾燥し、座ったままで浴槽から出ることを特徴とするため、考案の名称をライドスルー自動入浴装置とした。
【００１９】
続いて、第２考案は、貯湯・循環洗浄水槽と入浴・身体洗浄水槽を連結する洗浄湯移送ポンプの配管において、貯湯・循環洗浄水槽から入浴・身体洗浄水槽に湯が流れる配管には、オゾンを吸収する活性炭フィルターを有する排オゾン回収装置を備えた第１考案のライドスルー自動入浴装置である。
【００２０】
オゾンの水への溶解度は、０.５７g／Ｌ （気温２０℃）であり、ある文献によれば、ドイツではプール用の水中のオゾンの許容濃度は０．０５ｐｐｍ 以下とされているそうである。オゾンは、貯湯・循環洗浄水槽内の使用湯を殺菌するために使用されるが、殺菌された湯にはオゾンが溶解されている可能性もある。そこで、貯湯・循環洗浄水槽から入浴・身体洗浄水槽に流れる湯には、溶解したオゾンを除くため、その配管にオゾンを吸収する活性炭フィルターを有する排オゾン回収装置を備えるものである。
【００２１】
続いて、第３考案は、貯湯・循環洗浄水槽及び入浴・身体洗浄水槽の湯温を検知し、給湯器からの湯温及び貯湯・循環洗浄水槽への流量を制御する第１考案又は第２考案のいずれかのライドスルー自動入浴装置である。
【００２２】
入浴・身体洗浄水槽にて使用される湯は、給湯器から貯湯・循環洗浄水槽へ送られる湯と、貯湯・循環洗浄水槽にて使用湯が再生された湯が混合されている。基本的には、要介護者が浴槽である入浴・身体洗浄水槽に入ると開閉面が閉じて、貯湯・循環洗浄水槽から入浴・身体洗浄水槽に湯が送られ、所定の湯量例えば要介護者の肩の高さになったところで湯は止められ、ナノバブルによる洗浄が開始される。そこで、入浴・身体洗浄水槽での湯温を適切に維持するため、貯湯・循環洗浄水槽の湯温を検知し、給湯器の湯温及び貯湯・循環洗浄水槽への流量を制御する機器を設けるものである。なお、入浴・身体洗浄水槽の湯温も検知し、入浴時でも貯湯・循環洗浄水槽から入浴・身体洗浄水槽に湯を送る方式を採ることもできる。その時には、オーバーフローする湯は、入浴・身体洗浄水槽の上部に設けられた配管により貯湯・循環洗浄水槽に送られる。
【００２３】
続いて、第４考案は、上下駆動式乾燥水切りノズルは、入浴・身体洗浄水槽の外側に立てられた上下駆動用柱に沿って入浴・身体洗浄水槽に下降し、入浴・身体洗浄水槽内で上下運動しつつ温風を要介護者に向かい噴出し、終了後は入浴・身体洗浄水槽より上昇し上下駆動用柱の上方に停止する第１考案から第３考案のいずれかのライドスルー自動入浴装置である。
【００２４】
要介護者は、車椅子に座ったまま、ナノバブルにより洗浄された後、使用湯は貯湯・循環洗浄水槽に戻される。次に、要介護者は、上下駆動式乾燥水切りノズルにより乾燥される。この上下駆動式乾燥水切りノズルが入浴・身体洗浄水槽内の内壁に設けられていると、車椅子での入出時に、その水切りノズル等が破損したり、要介護者に接触し怪我を生じさせる恐れがある。そこで、上下駆動式乾燥水切りノズルは、入浴・身体洗浄水槽内に設けるのではなく、その使用時に入浴・身体洗浄水槽内に下降し、要介護者を囲むような枠に、要介護者に向けた複数の水切りノズルを付け、これを上下運動させる方が、構造が簡単となり、更に開閉面の開閉も容易となる。入浴・身体洗浄水槽の外側の上下駆動用柱は、複数でも単数でもよく、要介護者を囲むような水切りノズルを付けた枠が運動ができ、温風を要介護者に送れるものであればその構造は問わない。
【００２５】
続いて、第５考案は、要介護者が入浴・身体洗浄水槽に入り、開閉面が閉じられた後、湯が貯湯・循環洗浄水槽から入浴・身体洗浄水槽に入り、要介護者を洗浄し、使用湯が貯湯・循環洗浄水槽に戻り、更にシャワー洗浄した後、上下駆動式乾燥水切りノズルにより乾燥するまでの作業を自動的に行なう第１考案から第４考案のいずれかのライドスルー自動入浴装置である。
【００２６】
要介護者を入浴・身体洗浄水槽に入れ開閉面を閉じる、また、開閉面を開き要介護者を入浴・身体洗浄水槽から出す作業は実務者が行なう。その間の貯湯・循環洗浄水槽から入浴・身体洗浄水槽への湯の送り、ナノバブル発生装置によるナノバブルでの洗浄、洗浄後の使用湯の貯湯・循環洗浄水槽への送り、乾燥水切りノズルによる乾燥は、パソコンや電磁バルブ等を用いて自動化することができる。本願の目的は、前述のように実務者の労力と時間を軽減することであり、こうした工程を自動化することにより目的を達成することが可能となる。
【考案の効果】
【００２７】
第１考案では、要介護者は車椅子に座ったままで、浴槽に入ることができ、ナノバブル温湯にて身体が洗浄され、更に乾燥されるため実務者の介助の労力が軽減できるとともに、要介護者が使用したお湯も殺菌され再利用することができる。第２考案では、湯に溶解したオゾンを除去し、介護者の安全と健康を維持できる。第３考案では、要介護者が適温で入浴することができるとともに、要介護者の安全が保証される。第４考案では、本考案に係わる装置の構造が簡単となり、要介護者の入浴・身体洗浄水槽への入出も容易となる。第５考案では、担当実務者の管理の手間が省け、他の作業に時間を割くことが可能となる。
【図面の簡単な説明】
【００２８】
【図１】図１は、ライドスルー自動入浴装置の概略図である。
【図２】図２は、上下駆動用柱が付いたライドスルー自動入浴装置の概略図である。
【図３】図３は、入浴・身体洗浄水槽の開閉面の概略図である。
【考案を実施するための形態】
【００２９】
本考案の実施例を以下に示す。
【実施例１】
【００３０】
図１は、本考案のライドスルー自動入浴装置１の概略図である。ライドスルー自動入浴装置１は、大別すると貯湯・循環洗浄水槽２と入浴・身体洗浄水槽３とから構成されていている。貯湯・循環洗浄水槽２と入浴・身体洗浄水槽３は、貯湯・循環洗浄水槽２から入浴・身体洗浄水槽３に、更に入浴・身体洗浄水槽３から貯湯・循環洗浄水槽２に、湯を送る洗浄湯移送ポンプ４を介し連結されている。貯湯・循環洗浄水槽２から入浴・身体洗浄水槽３に湯を送る配管には、洗浄湯移送ポンプ４の後に活性炭フィルター１０が設けられ、湯に溶解した余剰のオゾンが除去される。入浴・身体洗浄水槽３から貯湯・循環洗浄水槽２には、洗浄湯移送ポンプ４によりバイパス１１１を通し湯が送られる。
【００３１】
貯湯・循環洗浄水槽２には、給湯器２１から湯が供給される。入浴・身体洗浄水槽３からの使用湯と混合される。貯湯・循環洗浄水槽２の湯は、循環洗浄ポンプ８により循環され、ストレーナ９により、浮遊物等が除去される。また、その配管１１にはオゾン発生装置６が付けられ、使用湯は殺菌される。更に、ナノバブル発生装置５に連結したナノバブル圧送ポンプ５１からナノバブル５３が、オゾンの殺菌効果をより効果的にするために、循環洗浄ポンプ８の配管１１に送られる。  
【００３２】
入浴・身体洗浄水槽３には、ナノバブル発生装置５で発生したナノバブル５３がナノバブル圧送ポンプ５１よりナノバブル噴出孔５２に送られ  ナノバブル５３が入浴・身体洗浄水槽３の湯に分散される。要介護者の洗浄が終了した後、湯は貯湯・循環洗浄水槽２に送られる。その後、ヒーター付き温風乾燥ブロアー７２から出た温風が温風導風フレキシブルパイプ７３を通し、入浴・身体洗浄水槽内３で上下に駆動する水切りノズル７に送られ、要介護者に吹き付けられ乾燥させる。
【実施例２】
【００３３】
図２は、上下駆動用柱７１が付いたライドスルー自動入浴装置１の概略図である。図１と異なり、貯湯・循環洗浄水槽２から入浴・身体洗浄水槽３へ湯を送る洗浄湯移送ポンプ４とその配管１１並びに入浴・身体洗浄水槽３から貯湯・循環洗浄水槽２に湯を送る洗浄湯移送ポンプ４とその配管１１が設けられている。
【００３４】
入浴・身体洗浄水槽３の外側に上下駆動用柱７１が付設され、水切りノズル駆動モータ７５により、水切りノズル上下用チェーン７４が上下に駆動される。水切りノズル７は、水切りノズルとの接合具７６により水切りノズル上下用チェーン７４に固定され、入浴・身体洗浄水槽３内にて上下に駆動される。ヒーター付き温風乾燥ブロアー７２から出た温風は、温風導風フレキシブルパイプ７３を通り、水切りノズル７から要介護者に吹き付け、乾燥させる。ただし、水切りノズルの駆動方法や水切りノズルへの温風を送る方法は、これに限るものではなく、任意である。
【実施例３】
【００３５】
図３は、入浴・身体洗浄水槽３の開閉面の概略図である。上段の平面図は、開閉面３１が開いた状態と閉じた状態を示し、下段の右側面図は、開閉面３１が閉じた状態を右側面から見た図である。この開閉面３１を開き、要介護者は車椅子に座ったままで入浴・身体洗浄水槽３に入ることができ、又出ることもできる。開閉面３１は、蝶番３２により入浴・身体洗浄水槽３の本体部と回転可能に連結され、入浴・身体洗浄水槽３の本体部の端面にはゴムパッキン３３が付けられ、開閉面３１は、密閉ハンドル３４により入浴・身体洗浄水槽３の本体部と隙間なく密閉され、水漏れがないように作られている。尚、開閉面の位置、開閉方式、密栓方法等はこれらに限るものではなく、任意である。  
【産業上の利用可能性】
【００３６】
高齢化社会となり、介護施設を利用する人口は増加していく。その一方で少子化が進み、要介護者を介護する担当実務者は減少していく。そのため、担当実務者の介助を少しでも軽減し、要介護者を介助する装置が必要である。かかる状況下にあって、本考案にかかわるライドスルー自動入浴装置の需要も期待できる。
【符号の説明】
【００３７】
１  ライドスルー自動入浴装置
２  貯湯・循環洗浄水槽  ２１給湯器
３  入浴・身体洗浄水槽  ３１  開閉面  ３２  蝶番  
３３  ゴムパッキン  ３４  密閉ハンドル  
４  洗浄湯移送ポンプ  
５  ナノバブル発生装置  ５１  ナノバブル圧送ポンプ  
５２  ナノバブル噴出孔  ５３  ナノバブル
６  オゾン発生装置
７  （上下駆動式乾燥）水切りノズル  ７１  上下駆動用柱  
７２  ヒーター付き温風乾燥ブロアー  
７３  温風導風フレキシブルパイプ  
７４  水切りノズル上下用チェーン  
７５  水切りノズル駆動モータ
７６  水切りノズルとの接合具
８  循環洗浄ポンプ
９  ストレーナ
１０  活性炭フィルター
１１  配管  １１１  バイパス
【図１】
0003191656.tif 000003
【図２】
0003191656.tif 000004
【図３】
0003191656.tif 000005